(57)【要約】      （修正有）【課題】ヒューマン・マシン・インターフェイスを向上させることが可能な車両用情報提供装置を提供する。【解決手段】車両状態情報を少なくとも含む状態情報を表示する表示部２０４と、表示部２０４を動作させる制御手段とを有し、外部機器と接続されるとともに制御手段は内部時刻情報に基づいて表示部２０４に時刻表示を行う車両用情報提供装置において、制御手段は、車両状態情報のうち車両の始動スイッチがオン操作されたことを示す第１操作信号を検出すると、外部機器と接続して外部機器から出力される外部機器情報に基づいて内部時刻情報の補正を行う処理を実行する。【選択図】図６
2019078577.tif 000002
【特許請求の範囲】
【請求項１】
車両状態情報を少なくとも含む状態情報を表示する表示部と、前記表示部を動作させる制御手段とを有し、外部機器と接続されるとともに前記制御手段は内部時刻情報に基づいて前記表示部に時刻表示を行う車両用情報提供装置において、
前記制御手段は、前記車両状態情報のうち車両の始動スイッチがオン操作されたことを示す第１操作信号を検出すると、前記外部機器と接続して前記外部機器から出力される外部機器情報に基づいて前記内部時刻情報の補正を行う処理を実行することを特徴とする車両用情報提供装置。
【請求項２】
前記制御手段は、前記始動スイッチがオフ操作されたことを示す第２操作信号を検出すると、前記外部機器との接続を解除する処理を実行することを特徴とする請求項１記載の車両用情報提供装置。
【請求項３】
前記制御手段は、前記内部時刻情報の補正を行ってから所定時間が経過したことを検出すると、前記内部時刻情報の補正が必要であることを前記表示部を利用して報知すべく、前記表示部を動作させることを特徴とする請求項１または請求項２記載の車両用情報提供装置。
【請求項４】
前記制御手段は、前記内部時刻情報の補正が必要であること報知する手段として、前記時刻表示を点滅表示させるかもしくは前記表示部に設けられた専用の報知手段を用いて報知すべく、前記表示部を動作させることを特徴とする請求項３記載の車両用情報提供装置。
【請求項５】
前記車両用情報提供装置は、手動の時刻合わせスイッチを備えるとともに、前記時刻合わせスイッチを前記外部機器とのペアリングスイッチと兼用したことを特徴とする請求項１または請求項２記載の車両用情報提供装置。
【発明の詳細な説明】
【技術分野】
【０００１】
本発明は、車両の利用者に各種情報を提供する車両用情報提供装置に関し、特に、車両搭載機器と外部機器とを利用して各種情報を提供する車両用情報提供装置に関するものである。
【背景技術】
【０００２】
従来より、この種の車両用情報提供装置にあっては、例えば下記特許文献１に記載されているものが知られている。この特許文献１に記載の車両用情報提供装置は、車両に搭載された液晶ディスプレイ付き車載用マルチメディアコンピュータからなり、携帯情報機器（外部機器）と接続可能に構成されている。これにより、車両の利用者へ車載用マルチメディアコンピュータに備えられるディスプレイ（表示部）を介して、携帯情報機器の持っている外部機器情報（オーディオプレイヤー、ナビゲーションシステム、インターネットブラウザ）を表示することが可能となっているものである。
【０００３】
また、車載用時計装置としては、例えば下記特許文献２に示すように外部からの送信電波に含まれる外部時刻信号に基づいて、時刻表示を自動的に補正するものが提案されている。具体的には、全世界測位衛星システム（Ｇｌｏｂａｌ  Ｐｏｓｉｔｉｏｎｉｎｇ  Ｓｙｓｔｅｍ）を構成する人工衛星からの送信電波に含まれる高精度の時刻情報（ＧＰＳ時刻情報）に基づいて、時刻表示を自動的に補正する車載用時計装置である。
【先行技術文献】
【特許文献】
【０００４】
【特許文献１】特開２００１−２２４８２号公報
【特許文献２】特開平３−６１８９３号公報
【発明の概要】
【発明が解決しようとする課題】
【０００５】
前述した特許文献１に記載の車両用情報提供装置にあっては、車両内で手軽に携帯情報機器を利用することが可能であり、車両の利用者に対し利便性の高い車両用情報提供装置を提供するものである。また、前述した特許文献２に記載の車載用時計装置にあっては、外部からのＧＰＳ時刻情報に基づいて時刻補正を行うことが可能であり、利用者（ユーザ）に対し時刻表示に現在時刻との誤差が生じ難い精度の高い車載用時計装置を提供するものである。
【０００６】
ところで、携帯情報機器の持っている外部機器情報（高精度の時刻情報）を用いて車両用情報提供装置内の表示部の時刻表示を補正する構成において、車両のイグニッションスイッチ（始動スイッチ）がオンされた際の時刻表示のさせ方については、上記の特許文献１、２では何ら開示されていない。
【０００７】
また、外部からのＧＰＳ時刻情報に基づいて時刻補正を行う場合と異なり、携帯情報機器の持っている外部機器情報（高精度の時刻情報）を用いて車両用情報提供装置内の表示部の時刻表示を補正する場合は、携帯情報機器が車両用情報提供装置に接続される必要があるが、常に携帯情報機器が車両用情報提供装置に接続されている訳ではなく、利用者が時刻表示の補正に気付かない虞があり、ヒューマン・マシン・インターフェイス（ＨＭＩ）の観点から考えると望ましいものではない。
そこで、本発明は前述した改善点に着目し、外部機器の持っている外部機器情報（時刻情報）を表示部を介して提供する場合、始動スイッチがオンされた際の時刻表示のさせ方を工夫することで、ヒューマン・マシン・インターフェイスを向上させることが可能な車両用情報提供装置の提供を目的とするものである。
【課題を解決するための手段】
【０００８】
本発明は、車両状態情報を少なくとも含む状態情報を表示する表示部と、前記表示部を動作させる制御手段とを有し、外部機器と接続されるとともに前記制御手段は内部時刻情報に基づいて前記表示部に時刻表示を行う車両用情報提供装置において、前記制御手段は、前記車両状態情報のうち車両の始動スイッチがオン操作されたことを示す第１操作信号を検出すると、前記外部機器と接続して前記外部機器から出力される外部機器情報に基づいて前記内部時刻情報の補正を行う処理を実行することを特徴とする。
【０００９】
また本発明は、前記制御手段は、前記始動スイッチがオフ操作されたことを示す第２操作信号を検出すると、前記外部機器との接続を解除する処理を実行することを特徴とする。
【００１０】
また本発明は、前記制御手段は、前記内部時刻情報の補正を行ってから所定時間が経過したことを検出すると、前記内部時刻情報の補正が必要であることを前記表示部を利用して報知すべく、前記表示部を動作させることを特徴とする。
【００１１】
また本発明は、前記制御手段は、前記内部時刻情報の補正が必要であること報知する手段として、前記時刻表示を点滅表示させるかもしくは前記表示部に設けられた専用の報知手段を用いて報知すべく、前記表示部を動作させることを特徴とする。
【００１２】
また本発明は、前記車両用情報提供装置は、手動の時刻合わせスイッチを備えるとともに、前記時刻合わせスイッチを前記外部機器とのペアリングスイッチと兼用したことを特徴とする。
【発明の効果】
【００１３】
本発明によれば、所期の目的を達成でき、外部機器の持っている外部機器情報（時刻情報）を表示部を介して提供する場合、始動スイッチがオンされた際の時刻表示のさせ方を工夫することで、ヒューマン・マシン・インターフェイスを向上させることが可能な車両用情報提供装置を提供できる。
【図面の簡単な説明】
【００１４】
【図１】本発明の第１実施形態による車両用通信システムと各種電装品の接続状態を示すブロック図。
【図２】同実施形態による車両用情報提供装置のブロック図。
【図３】同実施形態による車両用情報提供装置の一例を示す概観図。
【図４】同実施形態による始動スイッチのオンオフに応じた外部機器情報（時刻情報）と内部時刻情報の表示状態を示すタイムチャート。
【図５】同実施形態による第１の表示モードにおける表示部の表示レイアウトを示す図。
【図６】同実施形態による第２の表示モードにおける表示部の表示レイアウトを示す図。
【図７】本発明の第２実施形態による始動スイッチと時刻合わせスイッチのオンオフ状態を示すタイムチャート。
【図８】本発明の変形例による表示部の表示レイアウトを示す図。
【発明を実施するための形態】
【００１５】
（第１実施形態）以下、図１〜図６に基づいて、本発明の第１実施形態を説明する。
【００１６】
図１は、本発明の一実施形態を示すブロック図であり、図１中、１００は車両を示している。また、１０１は車両用通信システムであり、この車両用通信システム１０１は、車両用情報提供装置である車両用計器１０２と、携帯情報機器である外部機器（ここではスマートフォンとする）１０３と、車両用計器１０２と外部機器１０３とを接続する接続手段１０４とから構成される。
【００１７】
車両用計器１０２は、車内に構築される伝送媒体としての車内ＬＡＮ（多重通信ライン）１０５を介して、オーディオ１０６、エアコン１０７、ボディ制御部１０８、エンジン制御部１０９等の電装品と接続されている。また、接続手段１０４を介して車両用計器１０２と接続される外部機器１０３は、通信手段１１０を介してインターネットとの接続も可能である。
【００１８】
次に、図２を用いて、車両用計器１０２と外部機器１０３とから主に構成される車両用通信システム１０１の構成を詳細に説明する。
【００１９】
車両用計器１０２は、車両状態を少なくとも含む各種状態に関する各情報（状態信号）の入出力を行う車両情報端子（車両情報手段）２１０及び多重通信入出力端子（多重通信入出力手段）２１１と、操作手段２１３（ここでは後述する時刻合わせ用の手動の時刻合わせスイッチとする）と、操作手段２１３から出力される信号を入力可能な操作情報端子２１２と、車両インターフェース（車両Ｉ／Ｆ）手段２０１と、車両用計器１０２の制御を行う例えばマイクロコンピュータからなる制御手段２０２と、制御手段２０２の処理プログラムが格納されるフラッシュメモリやＥＥＰＲＯＭ等の不揮発性メモリからなる記憶手段２０３と、車両の利用者へ各種情報（車両の各種状態）を視覚的に報知する液晶表示パネルや有機ＥＬパネル等の表示部２０４と車両の利用者へ各種情報（車両の各種状態）を聴覚的に報知するスピーカ等の発音体２０５とからなる第１の報知手段２０６と、表示部２０４と発音体２０５と各種アナログ式（指針式）計器２０７との駆動制御を兼ねた駆動手段２０８と、外部機器１０３と接続するための接続手段１０４を構成する無線通信手段としての第１の通信部（ここではＢｌｕｅｔｏｏｔｈ（登録商標）とする）２０９とを備え、外部機器１０３と接続されたとき、外部機器１０３から出力される外部機器情報を取得可能に構成される。
【００２０】
ここで、発音体２０５は、車両が自動二輪車である場合に、当該自動二輪車に搭乗する利用者（搭乗者）が装着するヘルメットに収められたヘルメットスピーカであってもよい。各種アナログ式計器２０７は、詳細図示省略するが、車両の速度をアナログ指示する速度計と、エンジン回転数をアナログ指示する回転計と、タンク内燃料量をアナログ指示する燃料計と、エンジン冷却水の温度をアナログ表示する温度計とのうち少なくとも１つを備えている。
【００２１】
また、車両用計器１０２側に接続可能に設けられる操作手段２１３は、各種操作（例えば時刻合わせ操作、あるいは後述する時刻合わせとペアリングモードとを切り替えるためのモード変更等）を行うための操作入力部からなり、利用者の手が届くように車内の適宜箇所（例えば車両のステアリング）に設置されたカーソルボタンや決定ボタン等を含む略十字キー型の操作入力部を適用することができる。
【００２２】
なお、第１の通信部２０９は、外部機器１０３に備えられる後述する第２の通信部との間で無線通信を行うものである。つまり、第１の通信部２０９は、外部機器１０３に備えられる前記第２の通信部と間でデータのやりとりが可能となる。
【００２３】
外部機器１０３は、車両用計器１０２と接続するための接続手段１０４を構成する無線通信手段としての第２の通信部（ここではＢｌｕｅｔｏｏｔｈ（登録商標）とする）２６０と、各種センサ（ここではＧＰＳモジュールとする）２６１と、インターフェース（Ｉ／Ｆ）手段２５１と、外部機器１０３の制御を行う例えばマイクロコンピュータからなる制御部２５２と、制御部２５２の処理プログラムが格納されるフラッシュメモリやＥＥＰＲＯＭ等の不揮発性メモリからなる記憶部２５３と、車両の利用者へ各種情報（車両の各種状態）を視覚的に報知するタッチパネル付ディスプレイ等の表示媒体２５４と車両の利用者へ各種情報（車両の各種状態）を聴覚的に報知するスピーカ等の発音素子２５５とからなる第２の報知手段２５６と、表示媒体２５４と発音素子２５５の駆動制御を兼ねた駆動部２５７と、インターネットと接続するための通信手段１１０を構成する通信モジュール２５８とで構成される。
【００２４】
なお、本実施形態では、車両用計器１０２と外部機器１０３の接続手段１０４に無線通信手段からなる第１、第２の通信部２０９、２６０を適用したが、これに限定されるものではなく、ＵＳＢ（ユニバーサル・シリアス・バス）等の有線接続手段からなる接続手段１０４を用いて車両用計器１０２と外部機器１０３とを接続することも可能である。
【００２５】
また、本実施形態では、第１の通信部２０９を車両用計器１０２内に設けたが、これに限定されるものではなく、例えば車内ＬＡＮ１０５と接続される図示省略したゲートウェイ（Ｇ／Ｗ）手段を設けて、前記ゲートウェイ手段の中に第１の通信部２０９を内蔵することにより、車両用計器１０２と外部機器１０３とを接続することも可能である。
【００２６】
次に、図３〜図６を用いて、車両用計器１０２に備えられる制御手段２０２が、後述する第１、第２の表示モードを実行したときの表示部２０４に表示される表示レイアウトについて説明する。
【００２７】
ここで、車両用計器１０２は、図３に示すように、液晶表示パネルからなる表示部２０４を備え、この表示部２０４は、車両の利用者に対し車両状態情報を少なくとも含む状態情報を表示する計器用ディスプレイを適用をすることができる。
【００２８】
まず、図４に示す時刻Ｔ１において、制御手段２０２は、多重通信入出力端子２１１（あるいは車両情報端子２１０）を介して前記状態信号（ここでは前記車両状態情報のうち車両の始動スイッチがオン操作されたことを示す第１操作信号とする）を受信し、当該第１操作信号を検出して図５に示すような第１の表示モードＭ１に対応する情報を表示部２０４に表示させるべく、表示部２０４を表示動作（動作）させる制御を行う。
【００２９】
そして、この際、制御手段２０２は、各通信部２６０、２０９経由での外部機器１０３側からの（車両用計器１０２と外部機器１０３との）接続情報の送信はなく、外部機器１０３が未接続であることを検出して、各通信部２０９、２６０経由で、外部機器１０３に対して車両用計器１０２との接続の要求を行う接続要求処理を実行する。
【００３０】
この後述する外部機器情報が一切表示されず、車両状態情報を含む状態情報のみを表示部２０４に表示する第１の表示モードＭ１において、制御手段２０２は、状態情報として車両の走行速度を表示する車速表示部３００、シフトポジションを表示するシフトポジション表示部３１０、燃料の残量を表示する燃料残量表示部３２０、車両の進行方向を示す方向指示表示部３３０、補正前の初期時刻（ここでは初期時刻が午前０時００分であるものとする）を示すデジタル式の時刻表示部３４０、車両の平均燃費を表示する燃費表示部３５０、車両外部の気温を表示する外気温表示部３６０、注意喚起情報である警告表示部３７０を表示部２０４に表示させるべく、表示部２０４を表示動作させる制御を行う（図５参照）。
【００３１】
ここで、時刻表示部３４０（補正前の初期時刻である午前０時００分に相当する）は、制御手段２０２内で生成される内部時刻情報に基づいた表示である。具体的には、ここでの詳細図示は省略するが、制御手段２０２内のカウンタ駆動部が、水晶振動子を発振させて、この振動数を分周してカウンタ部でカウントして内部時刻情報を算出する。そして、内部時刻情報は、時を示す時情報、分を示す分情報、秒を示す秒情報を備えている。つまり、本実施形態の場合、制御手段２０２は、内部時刻情報に基づいて表示部２０４に時刻表示を行う。
【００３２】
なお、このとき制御手段２０２は、車両の利用者による時刻合わせが行われておらず、且つ、外部機器１０３からの高精度の時刻情報を受信していないと判断して、内部時刻情報の補正が必要であることを時刻表示部３４０（ここでは、午前０時００分とする）の点滅で報知している。つまり、制御手段２０２による制御のもと、時刻表示部３４０に表示された午前０時００分なる時刻表示が点滅する。
【００３３】
また、内部時刻情報は、前述のカウンタ部による算出に限定されるものではなく、例えば制御手段２０２に外付けでリアルタイムクロックを設けて、リアルタイムクロック内で内部時刻情報を算出して、この内部時刻情報を制御手段２０２が読み出してもよい。なお、リアルタイムクロック機能を用いたときには、内部時刻情報として、時情報、分情報、秒情報の他にカレンダー情報として、年を示す年情報、月を示す月情報、日を示す日情報、曜日を示す曜日情報を備える。
【００３４】
また、第１の表示モードＭ１において、表示部２０４は、上下に区分けされた第１の表示領域Ｒ１と第２の表示領域Ｒ２とを有する。第１の表示領域Ｒ１は、表示部２０４の上側に位置し、車両状態情報のうち所定情報Ｄ１である上述した車速表示部３００、シフトポジション表示部３１０、燃料残量表示部３２０、方向指示表示部３３０、時刻表示部３４０を表示するものである。
【００３５】
車速表示部３００は第１の表示領域Ｒ１の中央に表示され、シフトポジション表示部３１０は車速表示部３００と隣接するように車速表示部３００の左側上方に位置し、燃料残量表示部３２０は車速表示部３００と隣接するように車速表示部３００の左側下方に位置し、方向指示表示部３３０は車速表示部３００を挟むように第１の表示領域Ｒ１の両端側に位置し、時刻表示部３４０は車速表示部３００と隣接するように車速表示部３００の右側に位置している。
【００３６】
また、ここでの車速表示部３００とシフトポジション表示部３１０と燃料残量表示部３２０と方向指示表示部３３０と時刻表示部３４０とでなる所定情報Ｄ１は、優先度が高く、車両の利用者が視認する頻度が多い状態情報となっており、第１の表示モードＭ１においては、所定情報Ｄ１を第１の表示領域Ｒ１へと表示させる表示レイアウトとしている。
【００３７】
一方、第２の表示領域Ｒ２は、表示部２０４の下側に位置し、所定情報Ｄ１とは異なる車両状態情報の他の情報Ｄ２である上述した燃費表示部３５０、外気温表示部３６０、警告表示部３７０を表示するものである。
【００３８】
燃費表示部３５０並びに外気温表示部３６０は、第２の表示領域Ｒ２の左側に上下に並設された状態で表示され、燃費表示部３５０の真下に外気温表示部３６０が表示されている。
【００３９】
なお、このとき、制御手段２０２は、多重通信入出力端子２１１（あるいは車両情報端子２１０）を介して各種の警告信号（ここでは車両後部のトランクが開いていることを示すトランク開信号とする）受信しており、当該警告信号に基づいて表示部２０４を表示動作させ、これに伴い表示部２０４における第２の表示領域Ｒ２の右側には「トランクが開いています」なる警告表示部３７０が表示される。このように、本例では、車両状態情報の１つに、車両の利用者に対し注意を促す注意喚起情報としての警告表示部３７０が含まれている。
【００４０】
また、ここでの燃費表示部３５０と外気温表示部３６０と警告表示部３７０とでなる他の情報Ｄ２は、車両の利用者が視認する頻度が少ない状態情報となっており、第１の表示モードＭ１においては、他の情報Ｄ２を第２の表示領域Ｒ２へと表示させる表示レイアウトとしている。なお、第１の表示モードＭ１が実行された際の第２の表示領域Ｒ２において、燃費表示部３５０及び外気温表示部３６０が表示される左側領域４００の表示面積と、警告表示部３７０が表示される右側領域４１０の表示面積とは略等しくなっている。
【００４１】
次に、制御手段２０２が、第１の表示モードＭ１とは異なる第２の表示モードＭ２を実行したときに、表示部２０４に表示される表示レイアウトについて説明する。
【００４２】
まず、図４に示す（例えば前記始動スイッチがオン操作された時刻である時刻Ｔ１から２秒経過後の）時刻Ｔ２において、制御手段２０２は、外部機器１０３側から各通信部２６０、２０９経由での前記接続情報を受信して、外部機器１０３が接続されたことを検出する。
【００４３】
そして、図４に示す時刻Ｔ２において、（外部機器１０３と接続した）制御手段２０２は、多重通信入出力端子２１１（あるいは車両情報端子２１０）を介して状態信号を受信すると同時に、外部機器１０３側から各通信部２６０、２０９経由で外部機器情報（ここでは（高精度の）時刻情報とナビゲーション情報とする）を受信し、状態信号、時刻情報、ナビゲーション情報に基づいて図６に示すような第２の表示モードＭ２に対応する情報を表示部２０４に表示させるべく、表示部２０４を表示動作させる制御を行う。
【００４４】
つまり、第２の表示モードＭ２において、外部機器１０３の制御部２５２は、接続手段１０４（各通信部２６０、２０９）を介して制御手段２０２へ、時刻情報とナビゲーション情報とを出力して、制御手段２０２は、第１の表示領域Ｒ１に補正後の時刻表示である時刻表示部５００が表示され、且つ、第２の表示領域Ｒ２に外部機器情報であるナビゲーション表示部３８０が表示されるように表示部２０４を表示動作させる。
【００４５】
ここで、制御手段２０２は、表示部２０４（第１の表示領域Ｒ１）に表示された時刻表示部３４０の時刻補正処理を実行する。つまり、時刻Ｔ２において、制御手段２０２は、外部機器１０３側から各通信部２６０、２０９経由で前記時刻情報（時情報、分情報、秒情報、年情報、月情報、日情報、曜日情報）を受信すると、外部機器１０３から出力される外部機器情報である前記時刻情報に基づいて、制御手段２０２内の内部時刻情報の補正を行う処理を実行する。
【００４６】
そして、制御手段２０２は、この内部時刻情報に基づいて、第１の表示領域Ｒ１に、時刻表示部３４０に代えて補正後の時刻を示すデジタル式の時刻表示部５００（ここでは補正後の時刻が午前９時００分であるものとする）が表示されるように表示部２０４を表示動作させる。つまり、このことは、制御手段２０２は、外部機器情報（つまり前記時刻情報）に基づいて内部時刻情報を補正するとともに当該内部時刻情報が補正されたことを表示部２０４の時刻表示を用いて報知すべく、表示部２０４を動作させることを意味する。
【００４７】
換言すれば、ここでは、制御手段２０２は、内部時刻情報が補正されたことを表示部２０４の時刻表示を用いて報知する手段として、表示部２０４の時刻表示を、補正前の時刻表示部３４０（午前０時０２分なる時刻表示）から補正後の時刻表示部５００（午前９時００分なる時刻表示）へと変化させる構成となっていると言える。
【００４８】
また、このとき、制御手段２０２は、表示部２０４に表示された時刻表示が時刻表示部５００へと補正されたため、時刻表示部５００の点滅を止める処理を実行する。
【００４９】
以上、説明した第２の表示モードＭ２において、第２の表示モードＭ２に対応する表示部２０４の表示情報には、車速表示部３００とシフトポジション表示部３１０と燃料残量表示部３２０と方向指示表示部３３０と（補正後の）時刻表示部５００と燃費表示部３５０とナビゲーション表示部３８０とが含まれる。なお、外部機器情報は、ナビゲーション表示部３８０以外に、メールの着信情報や電話の着信情報、音楽情報等であってもよい。
【００５０】
そして、これらのうち車速表示部３００とシフトポジション表示部３１０と燃料残量表示部３２０と方向指示表示部３３０と（補正後の）時刻表示部５００とでなる所定情報Ｄ１は、第１の表示モードＭ１の場合と同様に第１の表示領域Ｒ１に表示され、且つ、第２の表示モードＭ２における車速表示部３００、シフトポジション表示部３１０、燃料残量表示部３２０、方向指示表示部３３０、（補正後の）時刻表示部５００の個々の表示位置は、第１の表示モードＭ１の場合と同じ位置となっている。
【００５１】
このように、本例の場合、制御手段２０２は、時刻表示である時刻表示部５００が第１の表示領域Ｒ１に表示されるように表示部２０４を表示動作させ、また第１の表示領域Ｒ１は、両表示モードＭ１、Ｍ２の実行時に、車速表示部３００とシフトポジション表示部３１０と燃料残量表示部３２０と方向指示表示部３３０と（補正後の）時刻表示部５００とでなる所定情報Ｄ１を予め定められた表示位置に表示可能な固定表示領域として構成されていることになる。
【００５２】
このように構成することで、時刻表示部５００を少なくとも含む所定情報Ｄ１は、第１の表示モードＭ１と第２の表示モードＭ２との切替に関係なく、その表示位置（表示レイアウト）が不変となっていることから、表示部２０４に表示される情報の移動量が必要最小限に抑えられ、ヒューマン・マシン・インターフェイスの向上した車両用計器１０２を提供することができるという利点がある。
【００５３】
そして、第２の表示モードＭ２において、車速表示部３００とシフトポジション表示部３１０と燃料残量表示部３２０と方向指示表示部３３０と（補正後の）時刻表示部５００とでなる所定情報Ｄ１以外の情報となる燃費表示部３５０及びナビゲーション表示部３８０は、第２の表示領域Ｒ２に表示される。
【００５４】
換言すれば、第２の表示モードＭ２は、車速表示部３００とシフトポジション表示部３１０と燃料残量表示部３２０と方向指示表示部３３０と燃費表示部３５０とでなる車両状態情報と、外部機器情報（前記時刻情報）で補正された（補正後の）時刻表示部５００である状態情報と、ナビゲーション表示部３８０である外部機器情報とを表示部２０４に表示する表示モードとなっている。
【００５５】
また、この第２の表示モードＭ２においては、第１の表示モードＭ１のときに第２の表示領域Ｒ２に表示されていた外気温表示部３６０及び警告表示部３７０が非表示状態となるとともに、燃費表示部３５０に関しては燃費のデジタル表示値と単位表示とが「平均燃費」なる表示の直下に移動し、上述の左側領域４００が縮小された状態となる。以下、第２の表示モードＭ２での第２の表示領域Ｒ２において、縮小された左側領域４００を左側エリア４０１として説明する。
【００５６】
そして、第２の表示領域Ｒ２において、左側エリア４０１を除いた領域であって、左側エリア４０１の右側に位置する右側エリア４１１には、ターンバイターン表示からなるナビゲーション表示部３８０が表示される。このターンバイターン表示は、図６に示すように矢印表示３８１と、交差点名表示３８２と、交差点までの残距離表示３８３とを含むものである。
【００５７】
なお、外部機器情報としてターンバイターン表示を行うとき、制御部２５２は、接続手段１０４（各通信部２０９、２６０）を介して車両用計器１０２側に画像情報を出力する代わりにコマンドを出力してもよい。例えば、予め記憶手段２０３に複数種類のターンバイターン表示情報を格納しておき、制御手段２０２は、このコマンドに対応するターンバイターン表示情報を記憶手段２０３から読み出して表示部２０４へ表示することで対応可能である。
【００５８】
これにより、接続手段１０４（各通信部２０９、２６０）を介して制御部２５２から車両用計器１０２側へと出力する情報量を削減することが可能である。また、ナビゲーション表示部３８０は、ターンバイターン表示に代えて地図表示を適用してもよい。このときは、制御部２５２は、接続手段１０４（各通信部２０９、２６０）を介して画像情報を出力するものとする。
【００５９】
つまり、第１の表示モードＭ１が実行された際に第２の表示領域Ｒ２に形成されていた前述の右側領域４１０は、第２の表示モードＭ２の実行時には右側領域４１０が拡大された右側エリア４１１として設けられ、この右側エリア４１１にナビゲーション表示部３８０が表示される。
【００６０】
このように、本例の場合、第２の表示領域Ｒ２は、第２の表示モードＭ２の実行時に、外部機器情報であるナビゲーション表示部３８０が表示されることに伴い、他の情報Ｄ２（例えば燃費表示部３５０）の表示形態が可変可能な可変表示領域として構成されていることになる。
【００６１】
次に、図４に示す時刻Ｔ３において、制御手段２０２は、多重通信入出力端子２１１（あるいは車両情報端子２１０）を介して状態信号（ここでは前記始動スイッチがオフ操作されたことを示す第２操作信号とする）を受信し、当該第２操作信号を検出して図６に示す第２の表示モードＭ２に対応する情報を消灯させるべく（非表示状態とすべく）、表示部２０４を表示動作させる制御を行う。
【００６２】
そして、制御手段２０２は、外部機器１０３側から各通信部２６０、２０９経由での（車両用計器１０２と外部機器１０３との）接続情報が送信されているため、各通信部２０９、２６０経由で、外部機器１０３に対して車両用計器１０２との接続の解除要求を行う。これにより、各通信部２６０、２０９を介した車両用計器１０２と外部機器１０３との接続は解除（切断）される。つまり、このことは、制御手段２０２は、前記第２操作信号を検出すると、外部機器１０３との接続を解除する処理を実行することを意味している。なお、このとき制御手段２０２内の内部時刻情報のカウンタ部でのカウント動作は継続して行われる。
【００６３】
次に、図４に示す時刻Ｔ４において、制御手段２０２は、多重通信入出力端子２１１（あるいは車両情報端子２１０）を介して状態信号（ここでは前記第１操作信号とする）を受信し、当該第１操作信号を検出して図５に示す第１の表示モードＭ１に対応する情報を表示部２０４に表示させるべく、表示部２０４を表示動作させる制御を行う。そして、制御手段２０２は、外部機器１０３側から前記接続情報の送信はなく、外部機器１０３が未接続であることを検出して、各通信部２０９、２６０経由で、外部機器１０３に対して前記接続要求処理を実行する。
【００６４】
そして、この時刻Ｔ４において、制御手段２０２による制御のもと、表示部２０４には、車速表示部３００とシフトポジション表示部３１０と燃料残量表示部３２０と方向指示表示部３３０と制御手段２０２内で生成される内部時刻情報（ここでは例えば午前７時０１分なる時刻情報とする）を示すデジタル式の時刻表示部３４０と燃費表示部３５０と外気温表示部３６０と警告表示部３７０とが表示される。
【００６５】
なお、このとき、制御手段２０２は、所定時間Ａ（ここでは例えば前回、内部時刻情報が補正された時刻Ｔ２から１週間経過後の時刻Ｔ４まで）の間、外部機器１０３からの高精度の時刻情報を受信していないと判断して、内部時刻情報の補正が必要であることを時刻表示部３４０（ここでは上記の午前７時０１分なる時刻情報とする）の点滅で報知すべく、表示部２０４を動作させる。
【００６６】
つまり、このことは、制御手段２０２は、内部時刻情報の補正を行ってから所定時間Ａが経過したことを検出すると、内部時刻情報の補正が必要であることを表示部２０４を利用して報知すべく、表示部２０４を動作させることを意味している。より具体的には、制御手段２０２は、内部時刻情報の補正が必要であること報知する手段として、時刻表示（つまり上記の時刻表示部３４０に表示された午前７時０１分なる時刻情報）を点滅表示させるべく、表示部２０４を動作させる処理を実行する。
【００６７】
次に、図４に示す時刻Ｔ５において、制御手段２０２は、外部機器１０３側から前記接続情報を受信して、外部機器１０３が接続されたことを検出する。
【００６８】
そして、この時刻Ｔ５において、制御手段２０２は、多重通信入出力端子２１１（あるいは車両情報端子２１０）を介して状態信号を受信すると同時に、外部機器１０３側から各通信部２６０、２０９経由で外部機器情報（ここでは（高精度の）時刻情報とナビゲーション情報とする）を受信し、状態信号、時刻情報、ナビゲーション情報に基づいて図６に示す第２の表示モードＭ２に対応する情報を表示部２０４に表示させるべく、表示部２０４を表示動作させる制御を行う。
【００６９】
つまり、この時刻Ｔ５において、外部機器１０３の制御部２５２は、接続手段１０４を介して制御手段２０２へ、時刻情報とナビゲーション情報とを出力して、制御手段２０２は、第１の表示領域Ｒ１に時刻Ｔ２の場合と同様にして時刻表示部５００が表示され、且つ、第２の表示領域Ｒ２にナビゲーション表示部３８０が表示されるように表示部２０４を表示動作させる。
【００７０】
ここで、制御手段２０２は、時刻Ｔ４のときに第１の表示領域Ｒ１に表示された時刻表示部３４０の時刻補正処理を実行する。つまり、時刻Ｔ５において、制御手段２０２は、外部機器１０３側から各通信部２６０、２０９経由で前記時刻情報（時情報、分情報、秒情報、年情報、月情報、日情報、曜日情報）を受信すると、制御手段２０２内の内部時刻情報を、前記時刻情報に基づいて補正する。
【００７１】
そして、制御手段２０２は、この内部時刻情報に基づいて、第１の表示領域Ｒ１に、時刻表示部３４０に代えて補正後の時刻を示すデジタル式の時刻表示部５００（ここでは補正後の時刻が午前７時０５分であるものとする）が表示されるように表示部２０４を表示動作させる。
【００７２】
換言すれば、ここでは、制御手段２０２は、内部時刻情報が補正されたことを表示部２０４の時刻表示を用いて報知する手段として、表示部２０４の時刻表示を、補正前の時刻表示部３４０（午前７時０４分なる時刻表示）から補正後の時刻表示部５００（午前７時０５分なる時刻表示）へと変化させる構成となっていると言える。また、このとき、制御手段２０２は、表示部２０４に表示された時刻表示が時刻表示部５００へと補正されたため、時刻表示部５００の点滅を止める処理を実行する。
【００７３】
以上のように、本実施形態では、制御手段２０２は、前記始動スイッチがオン操作されたことを示す前記第１操作信号を検出すると、外部機器１０３と接続して外部機器１０３から出力される前記時刻情報（外部機器情報）に基づいて内部時刻情報の補正を行うものである。
【００７４】
従って、前記始動スイッチのオン操作後に車両用計器１０２が外部機器１０３と接続され、前記時刻情報に基づき内部時刻情報の補正された時刻表示が表示部２０４に表示されるため、前記始動スイッチがオンされた際の時刻表示のさせ方が工夫され、ヒューマン・マシン・インターフェイスを向上させることができる。
【００７５】
また本実施形態では、制御手段２０２は、前記始動スイッチがオフ操作されたことを示す前記第２操作信号を検出すると、外部機器１０３との接続を解除する処理を実行することにより、暗電流（前記始動スイッチオフ時の消費電流）を低減することができるという利点がある。
【００７６】
また本実施形態では、制御手段２０２は、内部時刻情報の補正が必要であること報知する手段として、時刻表示（例えば時刻Ｔ４のとき時刻表示部３４０に表示された午前７時０１分なる時刻情報）を点滅表示させるべく、表示部２０４を動作させることにより、各種情報を視認しながら車両を運転している利用者は、当該時刻表示の補正が必要なことに気付きやすくなり、ヒューマン・マシン・インターフェイスを向上させることができる。
【００７７】
（第２実施形態）次に、本発明の第２実施形態を図７、図８に基づいて説明するが、前述の第１実施形態と同一もしくは相当個所には同一の符号を用いてその詳細な説明は省略する。この第２実施形態では、車両用計器１０２と外部機器１０３との間で無線通信路を確立するためのペアリング設定をペアリングスイッチを利用したスイッチ操作で行うにあたって、当該スイッチ操作を車両用計器１０２に備えられる手動式の前記時刻合わせスイッチで兼用する構成としている。その他の点は前記第１実施形態と同じである。
【００７８】
まず、図７に示す時刻Ｓ１において、制御手段２０２は、多重通信入出力端子２１１（あるいは車両情報端子２１０）を介して状態信号（ここでは前記第１操作信号とする）を受信し、前記始動スイッチのオンを検出する。
【００７９】
次に、図７に示す時刻Ｓ２において、制御手段２０２は、前記時刻表示を時刻合わせするための前記時刻合わせスイッチ（操作手段２１３の一例）のオンを検出して、その後、前記時刻合わせスイッチの長押し操作を検出する。ここでの前記時刻合わせスイッチの長押し操作とは、前記時刻合わせスイッチが、ある一定時間Ｂの間（例えば５秒間）、長押し操作されたことを意味している。
【００８０】
これにより前記始動スイッチのオン後に前記時刻合わせスイッチがオンすると、制御手段２０２は、制御手段２０２内の内部時刻情報を設定する時刻合わせモードへ移行する処理を実行する。制御手段２０２は、時刻合わせモードへ移行すると、車両の利用者による他の操作手段２１３を用いた時刻合わせに応じて、制御手段２０２内の内部時刻情報の設定を行う。
【００８１】
次に、図７に示す時刻Ｓ３において、制御手段２０２は、多重通信入出力端子２１１（あるいは車両情報端子２１０）を介して状態信号（ここでは前記第２操作信号とする）を受信し、前記始動スイッチのオフを検出する。
【００８２】
次に、図７に示す時刻Ｓ４において、制御手段２０２は、前記時刻合わせスイッチ（操作手段２１３）のオンを検出する。
【００８３】
次に、図７に示す時刻Ｓ５において、制御手段２０２は、多重通信入出力端子２１１（あるいは車両情報端子２１０）を介して状態信号（ここでは前記第１操作信号とする）を受信し、その後、前記時刻合わせスイッチの前記長押し操作を検出する。
【００８４】
これにより前記始動スイッチのオン前に前記時刻合わせスイッチがオンすると、制御手段２０２は、外部機器１０３とのＢｌｕｅｔｏｏｔｈ（登録商標）のペアリングモードへ移行する。制御手段２０２は、前記ペアリングモードへ移行すると、外部機器１０３との間でリンクキーの交換が行われ、外部機器１０３との通信はこのリンクキーから生成されたセッション・キーで暗号化される。一度、ペアリングを行えば、生成されたリンクキーは、車両用計器１０２に備えられる記憶手段２０３に記憶され、以降、ペアリングを行うことなく車両用計器１０２と外部機器１０３との接続（無線通信接続）が可能である。
【００８５】
以上のように、本第２実施形態によれば、車両用計器１０２は、前記時刻合わせスイッチ（操作手段２１３の一例）を備えるとともに、前記時刻合わせスイッチを外部機器１０３とのペアリングスイッチと兼用した構成となっている。つまり、このように構成された第２実施形態での車両用計器１０２は、前記時刻合わせスイッチと前記ペアリングスイッチとを兼用可能となり、操作手段２１３のスイッチ数の削減が可能である。
【００８６】
なお、本発明は、上述の実施形態及び図面によって限定されるものではない。本発明の要旨を変更しない範囲で、適宜、実施形態及び図面に変更（構成要素の削除も含む）を加えることが可能である。
【００８７】
例えば、上述した第１、第２実施形態では、内部時刻情報の補正が必要なことを表示部２０４に表示された時刻表示部３４０の点滅（例えば図５参照）で報知していたが、報知のさせ方はこれに限定されるものではなく、例えば図８に示すように専用の報知手段として内部時刻情報の補正が必要なことを示すアイコン５１０を表示部２０４（第１の表示領域Ｒ１）に表示させてもよい。
【００８８】
つまり、この場合、制御手段２０２は、内部時刻情報の補正が必要であること報知する手段として、表示部２０４に設けられた前記専用の報知手段（アイコン５１０）を用いて報知すべく、表示部２０４を動作させる処理を実行する。なお、アイコン５１０を表示部２０４に点灯（表示）させるにあたって、アイコン５１０と時刻表示部３４０とは上下に並設された状態で表示部２０４に表示され、時刻表示部３４０の真上にアイコン５１０が位置する。
【産業上の利用可能性】
【００８９】
本発明は、外部機器と接続された車両用情報提供装置に関し、車両用情報提供装置としては、車両情報を表示する車両用計器（車両用メータ）のみならず、車両に搭載されるナビゲーション装置やマルチディスプレイ装置等にも適用可能である。
【符号の説明】
【００９０】
１０２  車両用計器（車両用情報提供装置）
１０３  外部機器
１０４  接続手段
２０２  制御手段
２０４  表示部
２０９  第１の通信部
２１３  操作手段（時刻合わせスイッチ）
３００  車速表示部
３１０  シフトポジション表示部
３２０  燃料残量表示部
３３０  方向指示表示部
３４０、５００  時刻表示部
３５０  燃費表示部
３６０  外気温表示部
３７０  警告表示部
３８０  ナビゲーション表示部（外部機器情報）
５１０  アイコン
Ｄ１  所定情報
Ｄ２  他の情報
Ｍ１  第１の表示モード
Ｍ２  第２の表示モード
Ｒ１  第１の表示領域
Ｒ２  第２の表示領域
【図１】
2019078577.tif 000003
【図２】
2019078577.tif 000004
【図３】
2019078577.tif 000005
【図４】
2019078577.tif 000006
【図５】
2019078577.tif 000007
【図６】
2019078577.tif 000008
【図７】
2019078577.tif 000009
【図８】
2019078577.tif 000010